(57)【要約】【課題】収容する物品の情報を予め表示した箱体を用意しておく必要がなく、収容する物品に応じて表示する情報を切り替えることができ、かつ、複数の箱体が積み重ねられた状態でも情報を確認しやすい情報表示体を提供する。【解決手段】箱体１０の外面のうち互いに隣接する第１外面２１、第２外面２２および第３外面２３によって構成される角部５１付近に貼着可能である情報表示体１００であって、第１外面２１に貼着される第１表示部１１１と、第２外面２２に貼着される第２表示部１１２と、第３外面２３に貼着される第３表示部１１３と、第２表示部１１２および第３表示部１１３の間に形成される切欠部１６０と、を備え、第１表示部１１１、第２表示部１１２、および第３表示部１１３は、情報を表示するための情報表示面１２０を有する情報表示体１００とする。【選択図】図１
2018120193.tif 000002
【特許請求の範囲】
【請求項１】
箱体の外面のうち互いに隣接する第１外面、第２外面および第３外面によって構成される角部付近に貼着可能である、情報表示体であって、
前記第１外面に貼着される第１表示部と、
前記第２外面に貼着される第２表示部と、
前記第３外面に貼着される第３表示部と、
前記第２表示部および前記第３表示部の間に形成される切欠部と、を備え、
前記第１表示部、前記第２表示部、および前記第３表示部は、情報を表示するための情報表示面を有する、
情報表示体。
【請求項２】
箱体の外面のうち互いに隣接する第１外面、第２外面および第３外面によって構成される角部付近に貼着可能である、情報表示体であって、
前記第１外面に貼着される第１表示部と、
前記第１表示部が前記第１外面に貼着された状態で、前記箱体の前記第１外面および前記第２外面によって構成される第１稜線に沿って折り曲げられる第１折り曲げ線と、
前記第１表示部が前記第１外面に貼着された状態で、前記箱体の前記第１外面および前記第３外面によって構成される第２稜線に沿って折り曲げられる第２折り曲げ線と、
前記第１折り曲げ線を介して前記第１表示部に隣接して配置され、前記第２外面に貼着される第２表示部と、
前記第２折り曲げ線を介して前記第１表示部に隣接して配置され、前記第３外面に貼着される第３表示部と、
前記第１折り曲げ線および前記第２折り曲げ線が交差する折り曲げ起点から延びており、前記第２表示部および前記第３表示部の間に形成される切欠部と、を備え、
前記第１表示部、前記第２表示部、および前記第３表示部は、情報を表示するための情報表示面を有する、
情報表示体。
【請求項３】
前記情報表示面の反対側の面である貼着面を有し、
前記貼着面は、前記箱体への貼着、取り外し、および再貼着が可能である貼着層が設けられる、
請求項１または２に記載の情報表示体。
【請求項４】
前記情報表示面に予め情報が表示されている、
請求項１から３のいずれか１項に記載の情報表示体。
【請求項５】
前記情報表示面は、任意の情報を記載可能である、
請求項１から３のいずれか１項に記載の情報表示体。
【請求項６】
前記箱体への貼着、再剥離、および再貼着を行う際に把持される、把持部をさらに有する、
請求項１から５のいずれか１項に記載の情報表示体。
【請求項７】
外形の輪郭形状が略正方形であり、
前記折り曲げ起点が略中央部に配置されている、
請求項１から６のいずれか１項に記載の情報表示体。
【請求項８】
請求項１から７のいずれか１項に記載の情報表示体が複数重ねられて構成される、情報表示集合体。
【請求項９】
請求項１から７のいずれか１項に記載の情報表示体を複数有し、
前記複数の情報表示体が台紙に配置されて構成される、情報表示集合体。
【発明の詳細な説明】
【技術分野】
【０００１】
本発明は、箱体に貼着して用いられる情報表示体、および、複数の情報表示体で構成される情報表示集合体に関する。
【背景技術】
【０００２】
近年、物流では、物品をダンボール箱等の箱体に収容して輸送することが行われている。ダンボール箱の発送先や収容された物品等の情報は、ダンボール箱の上面に直接書き込まれたり、一枚の送り状に記載されることが多い。このため、ダンボール箱が複数になって積み重ねられると発送先等の情報を確認しにくくなり、作業者が情報を誤認して、誤発送や誤配達となる場合がある。
【０００３】
具体例として、例えば、物流で行われる作業のひとつであるピッキング作業では、製造元から物流の中継地（例えば、倉庫）に運び込まれた大量の物品を、発送先の発注個数ごとにダンボール箱に詰め替える作業を行う。ピッキング作業では、多種多様な物品を指示通りにダンボール箱に詰める必要があることから、作業者の手作業が中心になっている。
【０００４】
物品が収容されたダンボール箱には、物品の個数を示す数字が書き込まれ、この数字を読み取ることでダンボール箱に収容された物品の個数が認識される。発注個数が多い場合は、１０個単位などのまとまった個数の物品が収容されたダンボール箱と、１個単位のバラの個数の物品が収容されたダンボール箱が作られ、これらを組み合わせて、発送先へ発注個数の物品を出荷する。
【０００５】
しかしながら、ダンボール箱が複数になると、ダンボール箱に書き込まれた数字が見難くなったり、ダンボール箱に書き込まれた数字の見間違いや思い込みが発生し、物品の個数を誤って認識してしまう場合がある。その結果、発送先の発注個数と異なる個数の物品を中継地から出荷したり、誤った発送先に配達してしまう場合がある。
【０００６】
また、別の具体例として、引越しの荷物を取り扱う引越し業務では、依頼主の荷物を梱包した大量のダンボール箱を、引越し先の建物内に搬入する作業がある。搬入作業では、依頼主が指定した搬入先（例えば、住居用の建物であれば、リビング、キッチン、子供部屋など）にダンボール箱を搬入する必要がある。
【０００７】
しかしながら、依頼主は、段ボール箱に搬入先や内容物の情報を書き込まないことが多く、情報を書き込んだとしてもダンボール箱の１面のみに書き込むことが多い。このため、一見しただけではダンボール箱の搬入先を判別しにくく、引越し先に搬入する際に、ダンボール箱の搬入先の情報を一つづつ探して確認したり、搬入先を依頼主に確認しながら搬入作業を行う必要がある。
【０００８】
このように、物流では段ボール箱等の箱体に表示された情報の誤認や、誤発送が発生する問題があり、従来、このような問題を抑制するための技術が開発されている。例えば、特開２００５−４１５５０号公報には、物品の分別や納入時等の間違いを防止するため、箱体の外面に物品番号ごとに異なる位置を設定し、この設定した位置に一定の色および形状からなる物品識別のためのマークを設けた箱体が開示されている（特許文献１）。
【０００９】
また、実開平６−１４０１９号公報には、側面部を構成する稜部に識別用着色表示を設けた箱体が開示されている（特許文献２）。
【先行技術文献】
【特許文献】
【００１０】
【特許文献１】特開２００５−４１５５０号公報
【特許文献２】実開平６−１４０１９号公報
【発明の概要】
【発明が解決しようとする課題】
【００１１】
しかしながら、上記従来の箱体によれば、識別表示を直接箱体に表示するため、収容する物品に合わせた識別表示を予め箱体に表示しておく必要があった。このため、物品の種類ごとに箱体を予め用意しておく必要があり、コストが掛かっていた。
【００１２】
また、上記従来の箱体によれば、識別表示を直接箱体に表示するため、識別表示を切り替えられず、異なる種類の物品の物流に用いることができなかった。
【００１３】
さらに、上記従来の箱体によれば、識別表示が表示される位置が限定されているため、複数の箱体が積み重ねられた状態では、識別表示を確認しにくかった。
【００１４】
本発明は、上記課題を解決するためになされたものであって、収容する物品の情報を予め表示した箱体を用意しておく必要がなく、収容する物品に応じて表示する情報を切り替えることができ、かつ、複数の箱体が積み重ねられた状態でも情報を確認しやすい情報表示体を提供することを目的とする。
【課題を解決するための手段】
【００１５】
本発明の情報表示体は、箱体の外面のうち互いに隣接する第１外面、第２外面および第３外面によって構成される角部付近に貼着可能である、情報表示体であって、
前記第１外面に貼着される第１表示部と、
前記第２外面に貼着される第２表示部と、
前記第３外面に貼着される第３表示部と、
前記第２表示部および前記第３表示部の間に形成される切欠部と、を備え、
前記第１表示部、前記第２表示部、および前記第３表示部は、情報を表示するための情報表示面を有する。
【００１６】
本発明の情報表示集合体は、情報表示体が複数重ねられて構成される。
【発明の効果】
【００１７】
本発明の情報表示体および情報表示集合体によれば、収容する物品の情報を予め表示した箱体を用意しておく必要がなく、収容する物品に応じて表示する情報を切り替えることができ、かつ、複数の箱体が積み重ねられた状態でも情報を確認しやすい。
【図面の簡単な説明】
【００１８】
【図１】図１は、本発明の第１実施形態に係る情報表示体の全体構成を示す図である。
【図２】図２は、図１の２−２線における情報表示体の断面図である。
【図３】図３は、情報表示体を箱体に貼着した状態を示す斜視図である。
【図４】図４は、情報表示体を箱体に貼着する手順を示す斜視図である。
【図５】図５は、情報表示体を箱体に貼着する手順を示す斜視図である。
【図６】図６は、情報表示体を箱体に貼着する手順を示す斜視図である。
【図７】図７は、情報表示体を箱体に貼着する手順を示す斜視図である。
【図８】図８は、本発明の第２実施形態に係る情報表示体の全体構成を示す図である。
【図９】図９は、情報表示体を箱体に貼着した状態を示す斜視図である。
【図１０】図１０は、本発明の第３実施形態に係る情報表示集合体の全体構成を示す斜視図である。
【図１１】図１１は、本発明の第４実施形態に係る情報表示集合体の全体構成を示す図である。
【発明を実施するための形態】
【００１９】
本発明の一実施形態にかかる情報表示体は、
箱体の外面のうち互いに隣接する第１外面、第２外面および第３外面によって構成される角部付近に貼着可能である、情報表示体であって、
前記第１外面に貼着される第１表示部と、
前記第２外面に貼着される第２表示部と、
前記第３外面に貼着される第３表示部と、
前記第２表示部および前記第３表示部の間に形成される切欠部と、を備え、
前記第１表示部、前記第２表示部、および前記第３表示部は、情報を表示するための情報表示面を有する（第１の構成）。
【００２０】
上記構成によれば、情報表示体の第１表示部、第２表示部、および第３表示部の情報表示面に情報を表示し、箱体の角部付近に情報表示体を貼着する。これにより、箱体の第１外面、第２外面、および第３外面に情報を表示することができ、情報表示体に表示された情報を箱体の第１外面、第２外面、および第３外面の方向から認識することができる。このため、複数の箱体を重ねて載置した場合でも、第１表示部、第２表示部、または第３表示部に表示された情報を認識することができる。また、貼着した情報表示体を交換することで、箱体に表示する情報を切り替えることができる。よって、収容する物品の情報を予め表示した箱体を用意しておく必要がなく、収容する物品に応じて表示する情報を切り替えることができ、かつ、複数の箱体が積み重ねられた状態でも情報を確認することができる。
【００２１】
本発明の一実施形態にかかる情報表示体は、
箱体の外面のうち互いに隣接する第１外面、第２外面および第３外面によって構成される角部付近に貼着可能である、情報表示体であって、
前記第１外面に貼着される第１表示部と、
前記第１表示部が前記第１外面に貼着された状態で、前記箱体の前記第１外面および前記第２外面によって構成される第１稜線に沿って折り曲げられる第１折り曲げ線と、
前記第１表示部が前記第１外面に貼着された状態で、前記箱体の前記第１外面および前記第３外面によって構成される第２稜線に沿って折り曲げられる第２折り曲げ線と、
前記第１折り曲げ線を介して前記第１表示部に隣接して配置され、前記第２外面に貼着される第２表示部と、
前記第２折り曲げ線を介して前記第１表示部に隣接して配置され、前記第３外面に貼着される第３表示部と、
前記第１折り曲げ線および前記第２折り曲げ線が交差する折り曲げ起点から延びており、前記第２表示部および前記第３表示部の間に形成される切欠部と、を備え、
前記第１表示部、前記第２表示部、および前記第３表示部は、情報を表示するための情報表示面を有する（第２の構成）。
【００２２】
上記構成によれば、情報表示体の第１表示部、第２表示部、および第３表示部の情報表示面に情報を表示し、箱体の角部付近に情報表示体を貼着する。これにより、箱体の第１外面、第２外面、および第３外面に情報を表示することができ、情報表示体に表示された情報を箱体の第１外面、第２外面、および第３外面の方向から認識することができる。このため、複数の箱体を重ねて載置した場合でも、第１表示部、第２表示部、または第３表示部に表示された情報を認識することができる。また、貼着した情報表示体を交換することで、箱体に表示する情報を切り替えることができる。よって、収容する物品の情報を予め表示した箱体を用意しておく必要がなく、収容する物品に応じて表示する情報を切り替えることができ、かつ、複数の箱体が積み重ねられた状態でも情報を確認することができる。
【００２３】
上記第１から第２の構成において、
前記情報表示面の反対側の面である貼着面を有し、
前記貼着面は、前記箱体への貼着、取り外し、および再貼着が可能である貼着層が設けられてもよい（第３の構成）。
【００２４】
上記構成によれば、情報表示体を箱体へ貼着したり、箱体に貼着した情報表示体を取り外したり、箱体から取り外した情報表示体を別の箱体に再貼着することが可能となる。よって、収容する物品に応じて表示する情報を切り替えることが容易にでき、かつ、一度用いられた箱体を再利用することが容易となる。
【００２５】
上記第１から第３の構成において、
前記情報表示面に予め情報が表示されていてもよい（第４の構成）。
【００２６】
上記構成によれば、情報表示面に予め情報が表示されているため、使用者は、必要な情報が表示されている情報表示体を選択して、速やかに箱体に貼着して使用することができる。
【００２７】
上記第１から第３の構成において、
前記情報表示面は、任意の情報を記載可能としてもよい（第５の構成）。
【００２８】
上記構成によれば、情報表示面に任意の情報を記載可能であるため、使用者は、必要な情報を適宜情報表示体に表示させることができる。
【００２９】
上記第１から第５の構成において、
前記箱体への貼着、再剥離、および再貼着を行う際に把持される、把持部をさらに有してもよい（第６の構成）。
【００３０】
上記構成によれば、把持部が設けられているため、情報表示体を箱体へ貼着したり、箱体に貼着した情報表示体を再剥離して取り外したり、箱体から取り外した情報表示体を別の箱体に再貼着することが容易となる。
【００３１】
上記第１から第６の構成において、
外形の輪郭形状が略正方形であり、
前記折り曲げ起点が略中央部に配置されていてもよい（第７の構成）。
【００３２】
上記構成によれば、情報表示体の折り曲げ起点を箱体の角部の頂部に配置し、情報表示体の第１表示部、第２表示部、および第３表示部を、それぞれ箱体の第１外面、第２外面、第３外面に貼設することにより、箱体の第１外面、第２外面、第３外面にバランス良く情報表示体を貼設することができる。このため、箱体の第１外面、第２外面、第３外面に情報を表示しやすくなる。
【００３３】
本発明の一実施形態にかかる情報表示集合体は、
上記第１から第７の構成の情報表示体が複数重ねられて構成される（第８の構成）。
【００３４】
上記構成によれば、情報表示集合体は、情報表示体が複数重ねられて構成されているため、複数の情報表示体の取り扱いが容易となり、複数の箱体に情報表示体を貼着することが容易である。
【００３５】
本発明の一実施形態にかかる情報表示集合体は、
上記第１から第７の構成の情報表示体を複数有し、
前記複数の情報表示体が台紙に配置されて構成される（第９の構成）。
【００３６】
上記構成によれば、情報表示集合体は、複数の情報表示体が台紙に配置されて構成されるため、複数の情報表示体の取り扱いが容易となり、複数の情報表示体から必要な情報表示体を選択することや、情報表示体に情報を記載することが容易である。
【００３７】
［実施形態１］
以下、図面を参照し、本発明の実施形態に係る情報表示体１００および情報表示集合体２００について詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００３８】
［全体構成］
まず、情報表示体１００の全体構成について説明する。図１は、本発明の第１実施形態に係る情報表示体１００の全体構成を示す図である。図２は、図１の２−２線における情報表示体１００の断面図である。図３は、情報表示体１００を箱体１０に貼着した状態を示す斜視図である。以下の図では、矢印Ｕは情報表示体１００の上方向、矢印Ｄは下方向を示す。矢印Ｒは右方向、矢印Ｌは左方向を示す。矢印Ｆは前方向、矢印Ｂは後方向を示す。
【００３９】
図１に示すように、情報表示体１００の外形の輪郭形状は、正面視で略正方形であり、一部に切欠部１６０が形成されている。また、図２に示すように、情報表示体１００は、シート状材１０９で構成されている。シート状材１０９は、情報表示面１２０および貼着面１３０を有している。情報表示面１２０は、シート状材１０９の前面であり、貼着面１３０は、シート状材１０９の後面である。
【００４０】
図３は、情報表示体１００の使用状態を示している。図３に示すように、情報表示体１００は、貼着面１３０を箱体１０の角部５１，５２付近に貼着させ、情報表示面１２０を外部から視認できるようにして使用される。情報表示体１００は、箱体１０の角部５１，５２付近を囲むように折り曲げて使用されるため、シート状材１０９の素材は、紙、合成樹脂製シートなど、柔軟性のある素材であることが好ましい。
【００４１】
ここで、本実施形態の情報表示体１００の説明に用いる箱体１０の構成を説明する。図３に示すように、箱体１０は、直方体形状のダンボール箱とする。箱体１０は、第１外面２１、第２外面２２、第３外面２３、第４外面２４、第５外面２５、および第６外面２６の６面を有する。第１外面２１、第２外面２２および第３外面２３は、互いに隣接しており、第１外面２１、第２外面２２および第３外面２３によって角部５１が構成されている。第４外面２４、第５外面２５、および第６外面２６も、互いに隣接しており、第４外面２４、第５外面２５、および第６外面２６によって角部５２が構成されている。
【００４２】
箱体１０の第１外面２１および第２外面２２によって第１稜線４１が構成され、第１外面２１および第３外面２３によって第２稜線４２が構成され、第２外面２２および第３外面２３によって第３稜線４３が構成されている。また、第４外面２４および第５外面２５によって第４稜線４４が構成され、第４外面２４および第６外面２６によって第５稜線４５が構成され、第５外面２５および第６外面２６によって第６稜線４６が構成されている。なお、本実施形態の説明に用いられる箱体１０は、一例であり、情報表示体１００が使用される箱体の構成や、情報表示体１００を箱体に貼着する位置は、限定されない。
【００４３】
図１に戻って、情報表示体１００の構成を詳細に説明する。図１に示すように、情報表示体１００は、第１表示部１１１、第２表示部１１２、第３表示部１１３、第１折り曲げ部１１４、第２折り曲げ部１１５、折り曲げ起点１４５、および、切欠部１６０を有している。また、シート状材１０９の図示左上の頂部を第１頂部１０１、図示右上の頂部を第２頂部１０２、図示左下の頂部を第３頂部１０３、図示右下の頂部を第４頂部１０４とする。
【００４４】
第１頂部１０１と第４頂部１０４を結ぶ仮想の対角線と、第２頂部１０２と第３頂部１０３を結ぶ仮想の対角線の交点をシート状材１０９の中心として、このシート状材１０９の中心を仮想の折り曲げ起点１４５とする。
【００４５】
折り曲げ起点１４５から第１頂部１０１に向けて延びる線を第１折り曲げ線１４１とし、折り曲げ起点１４５から第２頂部１０２に向けて延びる線を第２折り曲げ線１４２とする。第１表示部１１１は、第１折り曲げ線１４１および第２折り曲げ線１４２に挟まれた領域である。
【００４６】
折り曲げ起点１４５から第３頂部１０３に向けて延びる線を第３折り曲げ線１４３とし、折り曲げ起点１４５から第４頂部１０４に向けて延びる線を第４折り曲げ線１４４とする。第２表示部１１２は、第１折り曲げ線１４１および第３折り曲げ線１４３に挟まれた領域であり、第３表示部１１３は、第２折り曲げ線１４２および第４折り曲げ線１４４に挟まれた領域である。つまり、第２表示部１１２は、第１折り曲げ線１４１を介して第１表示部１１１に隣接して配置され、第３表示部１１３は、第２折り曲げ線１４２を介して第１表示部１１１に隣接して配置されている。
【００４７】
第１表示部１１１、第２表示部１１２、および第３表示部１１３は、それぞれ、略正方形状のシート状材１０９の対角線上の第１折り曲げ線１４１、第２折り曲げ線１４２、第３折り曲げ線１４３、および第４折り曲げ線１４４によって区切られた領域である。このため、第１表示部１１１、第２表示部１１２、および第３表示部１１３は、略同一面積の略直角二等辺三角形をなしている。
【００４８】
切欠部１６０は、第２表示部１１２および第３表示部１１３の間に形成されており、第３折り曲げ線１４３および第４折り曲げ線１４４に挟まれた領域の一部に形成されている。切欠部１６０は、折り曲げ起点１４５から下方に延びており、折り曲げ起点１４５を頂点とする二等辺三角状に形成されている。
【００４９】
第１折り曲げ部１１４は、第３折り曲げ線１４３を介して第２表示部１１２に隣接して配置されている。第２折り曲げ部１１５は、第４折り曲げ線１４４を介して第３表示部１１３に隣接して配置されている。つまり、第１折り曲げ部１１４は、第２表示部１１２および切欠部１６０の間に形成されており、第２折り曲げ部１１５は、第３表示部１１３および切欠部１６０の間に形成されている。
【００５０】
第１折り曲げ線１４１、第２折り曲げ線１４２、第３折り曲げ線１４３、および第４折り曲げ線１４４は、情報表示体１００を箱体１０に貼着する際に、箱体１０の稜線に沿って折り曲げられる位置である。本実施形態では、第１折り曲げ線１４１、第２折り曲げ線１４２、第３折り曲げ線１４３、および第４折り曲げ線１４４は、シート状材１０９の情報表示面１２０に明示されているが、これらの線を明示しないようにしてもよい。
【００５１】
第１表示部１１１、第２表示部１１２、および第３表示部１１３の情報表示面１２０には、情報が表示される。表示される情報は、例えば、箱体１０に梱包される物品に関する情報や、箱体１０の搬入先に関する情報である。本実施形態では、引越し業務において箱体１０に子供服が梱包され、搬入先が引越し先の子供部屋であることを表示するために、「子供服／子供部屋」と表示されている。
【００５２】
情報表示面１２０に表示される情報は、予め印刷手段等によって表示されていてもよく、使用者が用途に応じて任意の情報を書き込んで表示させてもよい。情報表示面１２０に予め情報を表示させておく場合は、用途に応じて想定される複数の情報を表示させる。例えば、情報表示体１００が使用される用途が引越し業務である場合は、「子供服／子供部屋」のほか、「食器／キッチン」「衣類／クローゼット」などの情報を予め表示する。使用者が任意の情報を書き込む場合は、情報表示面１２０に筆記具等を用いて情報を書き込んでもよく、プリンタ等を用いて情報を書き込んでもよい。
【００５３】
情報表示面１２０に表示させる情報は、文字情報に限定されず、色彩や記号などの目視によって認識される情報や、バーコード、磁気など、読取機器によって内容が認識される情報であってもよい。例えば、情報表示体１００がピッキング業務に用いられる場合は、予め物品の個数に応じた数字や、個数に応じた色彩（例えば、１０個入りは赤、１個単位の場合は青など）を表示してもよい。
【００５４】
図２に示すように、シート状材１０９は、情報表示面１２０および貼着面１３０を有している。情報表示面１２０には、情報が表示される。貼着面１３０には、貼着層１３１が設けられる。貼着層１３１は、例えば、ダンボール箱である箱体１０への貼着、取り外し、および再貼着が可能な粘着材で形成される。本実施形態では、貼着層１３１は、貼着面１３０の全面に形成される。
【００５５】
次に、情報表示体１００を箱体１０の角部５１に貼着（図３参照）する手順について説明する。図４から図７は、情報表示体１００を箱体１０に貼着する手順を示す斜視図である。まず、図４および図５に示すように、情報表示体１００の第１表示部１１１を箱体１０の第１外面２１に貼着する。このとき、折り曲げ起点１４５を角部５１の頂点上に位置させるとともに、第１折り曲げ線１４１および第２折り曲げ線１４２が、それぞれ箱体１０の第１稜線４１および第２稜線４２上に重なるように配置する（図５参照）。
【００５６】
図５は、情報表示体１００の第１表示部１１１を、箱体１０の第１外面２１に貼着した状態を示している。この状態から、次に、矢印Ａに示すように、第１折り曲げ線１４１を箱体１０の第１稜線４１に沿って山折りして、情報表示体１００の第２表示部１１２を箱体１０の第２外面２２に貼着する（図６参照）。
【００５７】
図６は、情報表示体１００の第２表示部１１２を、箱体１０の第２外面２２に貼着した状態を示している。さらに、図６に示すように、第３折り曲げ線１４３を箱体１０の第３稜線４３に沿って山折りして、情報表示体１００の第１折り曲げ部１１４を箱体１０の第３外面２３に貼着する。この状態から、次に、矢印Ｂに示すように、第２折り曲げ線１４２を箱体１０の第２稜線４２に沿って山折りして、情報表示体１００の第３表示部１１３を箱体１０の第３外面２３に貼着する。
【００５８】
図７は、情報表示体１００の第３表示部１１３を、箱体１０の第３外面２３に貼着した状態を示している。さらに、図７に示すように、第４折り曲げ線１４４を箱体１０の第３稜線４３に沿って山折りして、情報表示体１００の第２折り曲げ部１１５を情報表示体１００の第１表示部１１１の上に貼着する。
【００５９】
なお、本説明では、情報表示体１００の第２表示部１１２を箱体１０の第２外面２２に貼着してから（図６参照）、情報表示体１００の第３表示部１１３を箱体１０の第３外面２３に貼着する（図７参照）手順を説明したが、これに限定されず、第３表示部１１３を第３外面２３に貼着してから、第２表示部１１２を第２外面２２に貼着する手順でもよい。
【００６０】
以上の手順により、第１表示部１１１、第２表示部１１２、および第３表示部１１３は、箱体１０の第１外面２１、第２外面２２および第３外面２３に貼着される。これにより、第１表示部１１１、第２表示部１１２、および第３表示部１１３に表示された情報は、箱体１０の３面（第１外面２１、第２外面２２および第３外面２３）に表示されるため、箱体１０に関する情報を３方向から確認することができる。さらに、同様の手順によって情報表示体１００を箱体１０の角部５２にも貼着することにより、情報表示体１００に表示された情報は、箱体１０の他の３面（第４外面２４、第５外面２５および第６外面２６）にも表示される。この場合、箱体１０の６面のいずれの面からでも情報を確認することができる。
【００６１】
［実施形態１の効果］
情報表示体の第１表示部１１１、第２表示部１１２、および第３表示部１１３の情報表示面１２０に情報を表示し、箱体１０の角部５１，５２付近に情報表示体１００を貼着することで、複数の箱体１０を重ねて載置した場合でも、第１表示部１１１、第２表示部１１２、および第３表示部１１３に表示された情報を認識することができる。また、貼着した情報表示体１００を交換することで、箱体１０に表示する情報を切り替えることができる。よって、収容する物品の情報を予め表示した箱体を用意しておく必要がなく、収容する物品に応じて表示する情報を切り替えることができ、かつ、複数の箱体が積み重ねられた状態でも情報を確認することができる。
【００６２】
情報表示体１００を箱体１０へ貼着したり、箱体１０に貼着した情報表示体１００を取り外したり、箱体１０から取り外した情報表示体１００を別の箱体１０に再貼着することが可能となる。よって、収容する物品に応じて表示する情報を切り替えることが容易にでき、かつ、一度用いられた箱体を再利用することが容易となる。
【００６３】
情報表示面１２０に予め情報が表示されている場合、使用者は、必要な情報が表示されている情報表示体１００を選択して、速やかに箱体１０に貼着して使用することができる。
【００６４】
情報表示面１２０に予め情報が表示されていない場合、情報表示面１２０に任意の情報を記載可能であるため、使用者は、必要な情報を適宜情報表示体１００に表示させることができる。
【００６５】
情報表示体の折り曲げ起点１４５を箱体１０の角部５１の頂部に配置し、情報表示体１００の第１表示部１１１、第２表示部１１２、および第３表示部１１３を、それぞれ箱体１０の第１外面２１、第２外面２２および第３外面２３に貼設することにより、箱体１０の第１外面２１、第２外面２２および第３外面２３にバランス良く情報表示体１００を貼設することができる。このため、箱体１０の第１外面２１、第２外面２２および第３外面２３に情報を表示しやすくなる。
【００６６】
［実施形態２］
実施形態２の情報表示体１００Ａは、把持部１７０を備えている点が、実施形態１に係る情報表示体１００と異なっている。以下の説明において、実施形態１と同様の構成には同一の符号を付して説明を省略し、実施形態１と異なる構成についてのみ説明する。
【００６７】
図８は、本発明の第２実施形態に係る情報表示体１００Ａの全体構成を示す図である。図８に示すように、情報表示体１００Ａは、第３表示部１１３の側方に、第５折り曲げ線１４５を介して把持部１７０が設けられている。把持部１７０の後面である貼着面１３０には、貼着層１３１は設けられていない。第１表示部１１１、第２表示部１１２、および第３表示部１１３の貼着面１３０には、実施形態１と同様に、貼着層１３１が設けられている。
【００６８】
図９は、情報表示体１００Ａを箱体１０に貼着した状態を示す斜視図である。把持部１７０の貼着面１３０には、貼着層１３１は設けられていないため、把持部１７０は、箱体１０の第３外面２３に沿って配置されるものの、貼着された状態にはならない。このため、使用者は、箱体１０に貼着した情報表示体１００Ａを剥離させる際に、把持部１７０を指先で引き起こし、把持部１７０を把持して引くことにより、情報表示体１００Ａを箱体１０から剥離させることができる。また、把持部１７０には貼着層１３１が設けられておらず、使用者が把持しても指先に付かない。このため、使用者は、把持部１７０を把持して情報表示体１００Ａを箱体１０に貼着、再剥離、および再貼着を行うことができる。
【００６９】
［実施形態２の効果］
【００７０】
情報表示体１００Ａに把持部１７０が設けられているため、情報表示体１００Ａを箱体１０へ貼着したり、箱体１０に貼着した情報表示体１００Ａを再剥離して取り外したり、箱体１０から取り外した情報表示体１００Ａを別の箱体１０に再貼着することが容易となる。
【００７１】
［実施形態３］
図１０は、本発明の第３実施形態に係る情報表示集合体２００の全体構成を示す斜視図である。情報表示集合体２００は、実施形態２の情報表示体１００Ａが複数重ねられて構成されている。各情報表示体１００Ａは、貼着、取り外し、および再貼着が可能であるため、情報表示集合体２００の上面に位置する情報表示体１００Ａを１枚ずつ剥離させて使用することができる。
【００７２】
［実施形態３の効果］
【００７３】
情報表示集合体２００は、情報表示体１００Ａが複数重ねられて構成されているため、複数の情報表示体１００Ａの取り扱いが容易となり、複数の箱体１０に情報表示体１００Ａを貼着することが容易である。
【００７４】
［実施形態４］
図１１は、本発明の第４実施形態に係る情報表示集合体２００Ａの全体構成を示す図である。情報表示集合体２００Ａは、実施形態１の情報表示体１００が複数、台紙２１０に配置されて構成されている。各情報表示体１００は、貼着、取り外し、および再貼着が可能であるため、台紙２１０から情報表示体１００を剥離させて使用することができる。また、台紙２１０に配置された各情報表示体１００に予め情報を表示させてもよく、あるいは、使用者が、台紙２１０に配置された各情報表示体１００に情報を書き込んだり、プリンタ等を用いて各情報表示体１００に情報を表示させることも可能である。
【００７５】
［実施形態４の効果］
情報表示集合体２００Ａは、複数の情報表示体１００が台紙２１０に配置されて構成されるため、複数の情報表示体１００の取り扱いが容易となり、複数の情報表示体１００から必要な情報表示体１００を選択することや、情報表示体１００に情報を記載することが容易である。
【００７６】
［変形例］
本発明に係る情報表示体は、上記説明した本実施形態に限定されない。例えば、情報表示体１００の外形の輪郭形状を略正方形としたが、例えば、略直方体、円形、楕円形など、様々な形状を採用することができる。
【００７７】
本実施形態では、２枚の情報表示体１００を箱体１０の角部５１，５２に貼着することで、箱体１０の６面のいずれの面からでも情報を確認できることを示したが、箱体に情報表示体を貼着する位置や枚数は限定されない。
【００７８】
実施形態で説明した情報表示体１００は、貼着面１３０の全面に貼着層１３１を設けたが、貼着層１３１を貼着面１３０の全面に設けずに部分的に設けるようにしてもよい。例えば、第１表示部１１１、第２表示部１１２、および第３表示部１１３の後面に対応する位置に、それぞれ部分的に設けてもよい。
【００７９】
本実施形態の説明では、物流に用いられる箱体１０を例にして説明したが、物流目的以外の箱体にしてもよい。例えば、物品を保管するための箱体に情報表示体１００を用いてもよい。
【００８０】
以上、本発明の実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。
【産業上の利用可能性】
【００８１】
本発明の情報表示体および情報表示集合体は、収容する物品の情報を予め表示した箱体を用意しておく必要がなく、収容する物品に応じて表示する情報を切り替えることができ、かつ、複数の箱体が積み重ねられた状態でも情報を確認しやすいため、例えば、物流用の箱体に用いることができる。
【符号の説明】
【００８２】
１００、１００Ａ  情報表示体
２００、２００Ａ  情報表示集合体
１１１  第１表示部
１１２  第２表示部
１１３  第３表示部
１２０  情報表示面
１３０  貼着面
１６０  切欠部
【図１】
2018120193.tif 000003
【図２】
2018120193.tif 000004
【図３】
2018120193.tif 000005
【図４】
2018120193.tif 000006
【図５】
2018120193.tif 000007
【図６】
2018120193.tif 000008
【図７】
2018120193.tif 000009
【図８】
2018120193.tif 000010
【図９】
2018120193.tif 000011
【図１０】
2018120193.tif 000012
【図１１】
2018120193.tif 000013
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
箱体の外面のうち互いに隣接する第１外面、第２外面および第３外面によって構成される角部付近に貼着可能である、情報表示体であって、
前記第１外面に貼着される第１表示部と、
前記第２外面に貼着される第２表示部と、
前記第３外面に貼着される第３表示部と、
前記第２表示部および前記第３表示部の間に形成される切欠部と、
把持部と、
を備え、
前記第１表示部、前記第２表示部、および前記第３表示部は、情報を表示するための情報表示面、および、前記情報表示面の反対側の面である貼着面を有し、
前記第１表示部、前記第２表示部、および前記第３表示部の前記貼着面には、前記箱体への貼着、取り外し、および再貼着が可能である貼着層が設けられており、
前記把持部は、前記貼着層が設けられておらず、前記箱体への貼着、取り外し、および再貼着を行う際に把持される、
情報表示体。
【請求項２】
前記第２表示部および前記切欠部の間に形成される第１折り曲げ部と、
前記第３表示部および前記切欠部の間に形成される第２折り曲げ部と、
をさらに備え、
前記第１表示部、前記第２表示部、および前記第３表示部が、前記箱体の前記第１外面、前記第２外面および前記第３外面にそれぞれ貼着された状態で、前記第１折り曲げ部が前記第３外面と前記第３表示部との間で前記第３外面に貼着された状態になるとともに、前記第２折り曲げ部が前記第２表示部に貼着された状態となり、または、前記第２折り曲げ部が前記第２外面と前記第２表示部との間で前記第２外面に貼着された状態になるとともに、前記第１折り曲げ部が前記第３表示部に貼着された状態となる、
請求項１に記載の情報表示体。
【請求項３】
箱体の外面のうち互いに隣接する第１外面、第２外面および第３外面によって構成される角部付近に貼着可能である、情報表示体であって、
前記第１外面に貼着される第１表示部と、
前記第１表示部が前記第１外面に貼着された状態で、前記箱体の前記第１外面および前記第２外面によって構成される第１稜線に沿って折り曲げられる第１折り曲げ線と、
前記第１表示部が前記第１外面に貼着された状態で、前記箱体の前記第１外面および前記第３外面によって構成される第２稜線に沿って折り曲げられる第２折り曲げ線と、
前記第１折り曲げ線を介して前記第１表示部に隣接して配置され、前記第２外面に貼着される第２表示部と、
前記第２折り曲げ線を介して前記第１表示部に隣接して配置され、前記第３外面に貼着される第３表示部と、
前記第１折り曲げ線および前記第２折り曲げ線が交差する折り曲げ起点から延びており、前記第２表示部および前記第３表示部の間に形成される切欠部と、
把持部と、
を備え、
前記第１表示部、前記第２表示部、および前記第３表示部は、情報を表示するための情報表示面、および、前記情報表示面の反対側の面である貼着面を有し、
前記第１表示部、前記第２表示部、および前記第３表示部の前記貼着面には、前記箱体への貼着、取り外し、および再貼着が可能である貼着層が設けられており、
前記把持部は、前記貼着層が設けられておらず、前記箱体への貼着、取り外し、および再貼着を行う際に把持される、
情報表示体。
【請求項４】
第３折り曲げ線を介して前記第２表示部に隣接して配置され、前記第２表示部および前記切欠部の間に形成される第１折り曲げ部と、
第４折り曲げ線を介して前記第３表示部に隣接して配置され、前記第３表示部および前記切欠部の間に形成される第２折り曲げ部と、
をさらに備え、
前記第１表示部、前記第２表示部、および前記第３表示部が、前記箱体の前記第１外面、前記第２外面および前記第３外面にそれぞれ貼着された状態で、前記第１折り曲げ部が前記第３折り曲げ線で折り曲げられて前記第３外面と前記第３表示部との間で前記第３外面に貼着された状態になるとともに、前記第２折り曲げ部が前記第４折り曲げ線で折り曲げられて前記第２表示部に貼着された状態となり、または、前記第２折り曲げ部が前記第４折り曲げ線で折り曲げられて前記第２外面と前記第２表示部との間で前記第２外面に貼着された状態になるとともに、前記第１折り曲げ部が前記第３折り曲げ線で折り曲げられて前記第３表示部に貼着された状態となる、
請求項３に記載の情報表示体。
【請求項５】
前記情報表示面に予め情報が表示されている、
請求項１から４のいずれか１項に記載の情報表示体。
【請求項６】
前記情報表示面は、任意の情報を記載可能である、
請求項１から４のいずれか１項に記載の情報表示体。
【請求項７】
外形の輪郭形状が略正方形であり、
折り曲げ起点が略中央部に配置されている、
請求項１から６のいずれか１項に記載の情報表示体。
【請求項８】
請求項１から７のいずれか１項に記載の情報表示体が複数重ねられて構成される、情報表示集合体。
【請求項９】
請求項１から７のいずれか１項に記載の情報表示体を複数有し、
前記複数の情報表示体が台紙に配置されて構成される、情報表示集合体。
【手続補正２】
【補正対象書類名】明細書
【補正対象項目名】００５８
【補正方法】変更
【補正の内容】
【００５８】
図７は、情報表示体１００の第３表示部１１３を、箱体１０の第３外面２３に貼着した状態を示している。さらに、図７に示すように、第４折り曲げ線１４４を箱体１０の第３稜線４３に沿って山折りして、情報表示体１００の第２折り曲げ部１１５を情報表示体１００の第２表示部１１２の上に貼着する。